(57)【要約】【課題】構造の簡素化を図ることができ、組み立て及び分解が容易であり、かつ吐出部材の組み付け保持が容易な構造である吐出具付容器を提供すること。【解決手段】二液吐出器（吐出具付容器）１は、ステム１１を有する吐出用容器（容器）Ａと、吐出用容器Ａの上部に装着される吐出具Ｂとを備えている。吐出具Ｂは、ノズル４１が形成され、かつステム１１からの吐出液をノズル４１の吐出口４１１へ導く内部流路が形成された吐出部材Ｂ２と、吐出用容器Ａに固定され、ノズル４１が所定の貫通位置で貫通した状態で吐出部材Ｂ２を覆うカバー部材Ｂ１とを有する。カバー部材Ｂ１は、吐出部材Ｂ２を吐出用容器Ａとの間に挟み込む形で吐出用容器Ａに固定されている。また、カバー部材Ｂ１には、吐出部材Ｂ２を吐出用容器Ａとの間に挟み込む際にノズル４１を貫通位置まで移動させるための切欠部（切欠き）３５が形成されている。【選択図】図２
2015101348.tif 000002
【特許請求の範囲】
【請求項１】
ステムを有する容器と、
該容器の上部に装着される吐出具とを備え、
該吐出具は、ノズルが形成され、かつ前記ステムからの吐出液を前記ノズルの吐出口へ導く内部流路が形成された吐出部材と、前記容器に固定され、前記ノズルが所定の貫通位置で貫通した状態で前記吐出部材を覆うカバー部材とを有し、
該カバー部材は、前記吐出部材を前記容器との間に挟み込む形で該容器に固定されており、
前記カバー部材には、前記吐出部材を前記容器との間に挟み込む際に前記ノズルを前記貫通位置まで移動させるための切欠きが形成されていることを特徴とする吐出具付容器。
【請求項２】
前記カバー部材には、前記吐出部材及び前記ステムを上方から押し下げ、該ステムからの吐出液を前記ノズルの前記吐出口から吐出させるための押圧操作部が一体的に形成されていることを特徴とする請求項１に記載の吐出具付容器。
【請求項３】
前記容器には、前記カバー部材の前記切欠きの少なくとも一部を補うように配置された補完部が設けられていることを特徴とする請求項１又は２に記載の吐出具付容器。
【請求項４】
前記カバー部材には、前記吐出部材に形成された被係合部を係合させるための係合部が形成されており、前記吐出部材は、前記被係合部を前記カバー部材の前記係合部に係合させた状態で上下動可能に構成されていることを特徴とする請求項１〜３のいずれか１項に記載の吐出具付容器。
【発明の詳細な説明】
【技術分野】
【０００１】
本発明は、吐出具付容器に関する。
【背景技術】
【０００２】
従来、例えば、ステムを有する容器と、その容器の上部に装着される吐出具とを備えた吐出具付容器が知られている。吐出具付容器において、吐出具は、ノズルが形成された吐出部材と、その吐出部材を覆うカバー部材とを有する。また、吐出具には、吐出部材及びステムを上方から押し下げ、ステムからの吐出液をノズルの吐出口から吐出させるための押圧操作部が設けられている。
【０００３】
吐出具付容器としては、様々な構造のものが提案されている。例えば、カバー部材の上方開口部から吐出部材、その吐出部材を保持する押圧操作部を順に挿入配置して構成された吐出具を容器に取り付けた吐出具付容器が開示されている（特許文献１等参照）。また、押圧操作部を設けたカバー部材の後部開口から吐出部材を挿入配置して構成された吐出具を容器に取り付けた吐出具付容器が開示されている（特許文献２参照）。
【先行技術文献】
【特許文献】
【０００４】
【特許文献１】特開２０１０−１６８１１３号公報
【特許文献２】特開２０１０−５２８１２号公報
【発明の概要】
【発明が解決しようとする課題】
【０００５】
しかしながら、前記特許文献１等の構造では、吐出具の部品点数が多く、部品の組み立てや分解に手間がかかる。また、前記特許文献２の構造では、吐出部材をカバー部材の後部開口から挿入して組み付けるため、吐出部材の組み付け作業が困難である。また、カバー部材の後部開口が開いたままであるため、カバー部材内に組み付けた吐出部材の保持も十分であるとは言えない。
【０００６】
本発明は、かかる背景に鑑みてなされたものであり、構造の簡素化を図ることができ、組み立て及び分解が容易であり、かつ吐出部材の組み付け保持が容易な構造である吐出具付容器を提供しようとするものである。
【課題を解決するための手段】
【０００７】
本発明の吐出具付容器は、ステムを有する容器と、該容器の上部に装着される吐出具とを備え、該吐出具は、ノズルが形成され、かつ前記ステムからの吐出液を前記ノズルの吐出口へ導く内部流路が形成された吐出部材と、前記容器に固定され、前記ノズルが所定の貫通位置で貫通した状態で前記吐出部材を覆うカバー部材とを有し、該カバー部材は、前記吐出部材を前記容器との間に挟み込む形で該容器に固定されており、前記カバー部材には、前記吐出部材を前記容器との間に挟み込む際に前記ノズルを前記貫通位置まで移動させるための切欠きが形成されていることを特徴とする。
【０００８】
前記吐出具付容器において、容器の上部に装着される吐出具は、吐出部材とカバー部材との２つの部材で構成されている。そのため、吐出具の構造を簡素化することができる。例えば、カバー部材に後述する押圧操作部を一体的に形成する構成等も可能となる。これにより、吐出具付容器全体の構造を簡素化することができ、部品点数の削減や部品の組み付け工数の削減を図ることも可能となる。
【０００９】
また、カバー部材は、吐出部材を容器との間に挟み込んだ状態で容器に固定されている。すなわち、吐出部材は、カバー部材と容器との間に挟み込まれた状態となる。そのため、吐出部材の組み付け保持が容易となる。また、吐出部材をカバー部材内で保持するための別部材（例えば前述の特許文献１の押圧操作部等）を必要としないため、構造の簡素化を図ることもできる。
【００１０】
また、カバー部材には、吐出部材を容器との間に挟み込む際にノズルを所定の貫通位置まで移動させるための切欠きが形成されている。そのため、吐出部材のノズルをカバー部材の切欠きに貫通させた状態で、吐出部材をカバー部材内の所定の配設位置まで移動させることができる。これにより、カバー部材に対する吐出部材の組み付けが容易となる。その結果、吐出具、さらには吐出具付容器全体の組み立てが容易となる。
【００１１】
さらに、吐出具付容器（特に吐出具）の組み立てを容易に行うことができるため、逆に吐出具付容器（特に吐出具）の分解も容易に行うことができる。これにより、例えば、使用者が吐出部材の洗浄のために吐出具付容器を分解する際にその分解作業を容易に行うことができ、吐出部材の洗浄容易性を向上させることができる。
【００１２】
このように、本発明によれば、構造の簡素化を図ることができ、組み立て及び分解が容易であり、かつ吐出部材の組み付け保持が容易な構造である吐出具付容器を提供することができる。
【００１３】
ところで、前記吐出具付容器において、前記カバー部材には、前記吐出部材及び前記ステムを上方から押し下げ、該ステムからの吐出液を前記ノズルの前記吐出口から吐出させるための押圧操作部が一体的に形成されていてもよい。この場合には、吐出具の構造をより簡素化することができる。
【００１４】
また、前記容器には、前記カバー部材の前記切欠きの少なくとも一部を補うように配置された補完部が設けられていてもよい。この場合には、例えば、使用者が容器から吐出具を取り外し、吐出部材を洗浄した後に再び吐出具を容器に取り付ける際に、吐出具の取り付け向きの間違えを防止することができる。
【００１５】
また、前記カバー部材には、前記吐出部材に形成された被係合部を係合させるための係合部が形成されており、前記吐出部材は、前記被係合部を前記カバー部材の前記係合部に係合させた状態で上下動可能に構成されていてもよい。この場合には、カバー部材に対して吐出部材を容易かつ確実に固定することができる。また、吐出部材の取り外しも容易となるため、吐出部材の洗浄容易性を向上させることができる。また、例えば、前述の押圧操作部によって吐出部材を上方から押し下げるといった動作も容易に行うことができる。
【図面の簡単な説明】
【００１６】
【図１】二液吐出器を示す斜視図である。
【図２】二液吐出器を示す展開斜視図である。
【図３】二液吐出器の正面視における要部断面図である。
【図４】二液吐出器の側面視における要部断面図である。
【図５】カバー部材の背面図である。
【図６】吐出部材の組み立て前の平面図である。
【図７】吐出部材の組み立て前の側面視における断面図である。
【図８】吐出部材の底壁部分の正面視における部分断面図である。
【図９】吐出部材を示す正面図である。
【図１０】液の吐出形態を示す斜視図である。
【図１１】容器と吐出具との組み付け工程を示す説明図である。
【発明を実施するための形態】
【００１７】
以下、本発明が適用された実施形態について、図面を用いて説明する。
図１〜図１１に示すように、本実施形態の二液吐出器（吐出具付容器）１は、ステム１１を有する吐出用容器（容器）Ａと、吐出用容器Ａの上部に装着される吐出具Ｂとを備えている。吐出具Ｂは、ノズル４１が形成され、かつステム１１からの吐出液をノズル４１の吐出口４１１へ導く内部流路が形成された吐出部材Ｂ２と、吐出用容器Ａに固定され、ノズル４１が所定の貫通位置で貫通した状態で吐出部材Ｂ２を覆うカバー部材Ｂ１とを有する。
【００１８】
同図に示すように、カバー部材Ｂ１は、吐出部材Ｂ２を吐出用容器Ａとの間に挟み込む形で吐出用容器Ａに固定されている。また、カバー部材Ｂ１には、吐出部材Ｂ２を吐出用容器Ａとの間に挟み込む際にノズル４１を貫通位置まで移動させるための切欠部（切欠き）３５が形成されている。以下、これを詳説する。
【００１９】
図１に示すように、二液吐出器１は、染毛剤の第１液（第１剤）及び第２液（第２剤）が収容された吐出用容器Ａと、吐出用容器Ａに収容された第１液及び第２液を合流させて吐出するための吐出具Ｂとを備えている。吐出用容器Ａは、第１液を収容する第１吐出用容器Ａ１と第２液を収容する第２吐出用容器Ａ２とにより構成されている。
【００２０】
ここで、第１液は、アルカリ剤（例えばアンモニアやモノエタノールアミン）が配合されており、ｐＨが高い液体である。また、第１液には、染毛のための染料が配合されている。一方、第２液は、酸化剤（例えば過酸化水素）が配合されており、ｐＨが低い液体である。一般に、毛髪化粧料組成物の第１剤は、第２剤と比較して、皮膚への刺激が強く、刺激臭が強い。なお、第１剤の刺激臭の要因としてはアンモニアが挙げられるが、これに限ったものではなく、例えば第１剤がアンモニウム塩を含有する場合も同様である。
【００２１】
図２に示すように、吐出用容器Ａは、胴部１０の上面から上方付勢状態で押し込み可能にステム１１を突出させている。具体的には、第１吐出用容器Ａ１及び第２吐出用容器Ａ２は、第１胴部１０ａ及び第２胴部１０ｂの上面から上方付勢状態で押し込み可能に第１ステム１１ａ及び第２ステム１１ｂをそれぞれ突出させている。本実施形態では、第１吐出用容器Ａ１及び第２吐出用容器Ａ２として、それぞれ金属製のエアゾール缶を採用している。なお、吐出用容器Ａの材質としては、例えば、金属、ガラス、樹脂等を採用することができる。
【００２２】
各吐出用容器Ａ１、Ａ２には、従来公知の吐出機構が用いられている。具体的には、各吐出用容器Ａ１、Ａ２は、ステム１１ａ、１１ｂを押し下げることで内蔵吐出弁が開弁し、収納ガス圧により第１液、第２液がステム１１ａ、１１ｂを介して吐出されるよう構成されている。また、ステム１１ａ、１１ｂの押し下げを解除すると、ステム１１ａ、１１ｂが上方付勢により上昇し、内蔵吐出弁が閉じて第１液、第２液の吐出が停止されるよう構成されている。
【００２３】
同図に示すように、並設された第１吐出用容器Ａ１及び第２吐出用容器Ａ２は、その上端外周に嵌合され、断面が楕円形状に形成された筒状の容器固定部材１２によって固定されている。また、第１吐出用容器Ａ１及び第２吐出用容器Ａ２は、第１胴部１０ａ及び第２胴部１０ｂがフィルム１４で覆われている。なお、第１胴部１０ａ及び第２胴部１０ｂは、その一部がフィルム１４で覆われていてもよい。また、後述する図３、図４では、フィルム１４の図示を省略している。
【００２４】
容器固定部材１２の外周面の左右両側それぞれには、外方に向かって突出形成され、後述する吐出具Ｂのカバー部材Ｂ１を固定するための突起部１２１が設けられている。また、容器固定部材１２の前部には、その一部を上方に突出させ、後述するカバー部材Ｂ１の筒状部Ｂ１１の切欠部３５の一部を補うように配置された補完部１３が設けられている。
【００２５】
一方、図３、図４に示すように、吐出具Ｂは、吐出用容器Ａ（第１吐出用容器Ａ１、第２吐出用容器Ａ２）の上端外周に嵌合された容器固定部材１２に嵌合され、吐出用容器Ａに対して脱着可能に構成されている。
【００２６】
また、吐出具Ｂは、筒状部Ｂ１１と押圧操作部Ｂ１２とを一体的に形成してなるカバー部材Ｂ１と、カバー部材Ｂ１に取り付けられた吐出部材Ｂ２とを備えている。カバー部材Ｂ１は、吐出部材Ｂ２を吐出用容器Ａとの間に挟み込んだ状態で吐出用容器Ａに固定されている。すなわち、吐出部材Ｂ２は、カバー部材Ｂ１と吐出用容器Ａとの間に挟まれた状態で、カバー部材Ｂ１に取り付けられている。
【００２７】
カバー部材Ｂ１において、筒状部Ｂ１１は、外周壁３０と、外周壁３０の内側に配設された内周壁３２と、外周壁３０の上端と内周壁３２の上端とをつなぐフランジ状頂壁３１とを有する。
【００２８】
筒状部Ｂ１１において、外周壁３０の左右両側それぞれには、その周囲に間隙を設け、上下両端部が左右方向に揺動可能に構成された揺動片部３６が設けられている。揺動片部３６は、上下方向の中央部において、一対の連結部３６１（図１、図２参照）により軸支されている。揺動片部３６の下端部には、容器固定部材１２の突起部１２１を係合させる係合孔３６２が形成されている。
【００２９】
筒状部Ｂ１１において、内周壁３２の左右両側それぞれには、その内周面を凹ませて形成され、後述する吐出部材Ｂ２のケーシング４０の係合突起部（被係合部）４０１を係合させる係合凹部（係合部）３２１が設けられている。
【００３０】
図１、図２に示すように、筒状部Ｂ１１の前部には、上端から下方に凹んで形成され、前後方向に貫通してなる前側凹部３３が設けられている。また、筒状部Ｂ１１の前部には、下端から上方に切り欠いて形成され、前後方向に貫通してなる切欠部３５が設けられている。切欠部３５には、その一部を埋めるように、また補うように吐出用容器Ａの補完部１３が配置されている。また、筒状部Ｂ１１の後部には、上端から下方に凹んで形成され、前後方向に貫通してなる後側凹部３４が設けられている。
【００３１】
図３、図４に示すように、押圧操作部Ｂ１２は、外枠部８０と、外枠部８０の内側に配置された押圧板８１とを備えている。外枠部８０は、筒状部Ｂ１１の後側凹部３４の形成部分を除いて、筒状部Ｂ１１の内周壁３２から内側に突出して設けられている。外枠部８０には、押圧板８１の前端がヒンジ８２を介して連結されている。
【００３２】
また、押圧板８１の下面には、下方に突出形成された押圧突起部８３が設けられている。押圧突起部８３は、後述する吐出部材Ｂ２のケーシング４０の上面に当接している。そして、押圧板８１は、ヒンジ８２を中心に押圧部８４を押し下げ回動させることにより、後述する吐出部材Ｂ２が押し下げられるよう構成されている。また、押圧板８１の後部には、押圧部（ボタン部）８４が形成されている。
【００３３】
図５に示すように、後側凹部３４の左右の内壁面３４１は、下方に向かって内側に傾斜している。すなわち、後側凹部３４の横幅は、下方に向かって徐々に狭くなっている。後側凹部３４の左右の内壁面３４１と水平方向との間の角度αは、８０°程度に設定されている。また、押圧部８４の横幅Ｗは、１２〜２０ｍｍの範囲内に設定されており、本実施形態では、１６ｍｍである。また、押圧部８４の横幅Ｗと後側凹部３４の底面３４２の横幅Ｘとは、同じ幅に設定されている。また、押圧部８４の上端と後側凹部３４の左右の内壁面３４１との隙間ｄは、２．５ｍｍ以下に設定されている。
【００３４】
図２〜図４に示すように、吐出部材Ｂ２は、断面が楕円形状に形成された筒状のケーシング４０と、ケーシング４０の前面から前方に突出して設けられ、断面が楕円形状に形成された筒状のノズル４１と、ケーシング４０の下面左右から下方に突出して設けられた筒状の第１ステム嵌着筒４２及び第２ステム嵌着筒４３とを有する。
【００３５】
ノズル４１は、筒状部Ｂ１１の切欠部３５を貫通するようにして配置されている。また、ノズル４１は、筒状部Ｂ１１の前部と吐出用容器Ａの容器固定部材１２の補完部１３とによって囲まれている。また、ケーシング４０の外周面の左右両側それぞれには、外方に向かって突出形成された係合突起部４０１が設けられている。吐出部材Ｂ２は、ケーシング４０の係合突起部４０１をカバー部材Ｂ１の筒状部Ｂ１１の係合凹部３２１に係止させた状態で、上下動可能に構成されている。
【００３６】
図６、図７、図８に示すように、吐出部材Ｂ２は、組み付け前の状態において、周壁４０ａと頂壁４０ｂとを備えたケーシング本体４００に、一対の連結ヒンジ４４を介して底壁４０ｃが延設されている。ケーシング本体４００には、ノズル４１が設けられている。また、底壁４０ｃには、第１ステム嵌着筒４２及び第２ステム嵌着筒４３が設けられている。そして、吐出部材Ｂ２は、組み付け時に嵌合、超音波接合等により底壁４０ｃをケーシング本体４００に固定するよう構成されている。なお、ケーシング本体４００に底壁４０ｃを嵌合により固定した場合には、その固定を解除して吐出部材Ｂ２内部の洗浄が容易となる。
【００３７】
また、吐出部材Ｂ２は、内部に液誘導機構を備えている。液誘導機構は、吐出用容器Ａに収容された第１液及び第２液を一定の積層方向（この例では左右方向）に２層に積層された状態で合流させ、ノズル４１の吐出口４１１から吐出させることができるよう構成されている。
【００３８】
ここで、液誘導機構の具体的構造について説明する。図３、図４に示すように、ケーシング４０の内部には、中央部に区画壁４５が設けられている。ケーシング４０の内部は、区画壁４５によって左右方向に第１液用分割室４６と第２液用分割室４７との２つの空間に分割されている。区画壁４５は、ケーシング４０と一体的に形成されており、その下端部が底壁４０ｃの所定位置に凹設した嵌合凹部４５１に嵌合している。
【００３９】
一方、図９に示すように、ノズル４１の内部流路の基端部には、その内部流路を左右方向に分割する仕切板４８が設けられ、その仕切板４８によって２つの分割流路が形成されている。以下の説明では、向かって左側の分割流路を「左側分割流路」、右側の分割流路を「右側分割流路」と称する。
【００４０】
また、ケーシング４０におけるノズル４１の突設箇所には、第１液用分割室４６から右側分割流路に連通する第１透孔４９１と、第２液用分割室４７から左側分割流路に連通する第２透孔４９２とが穿設されている。第１透孔４９１及び第２透孔４９２は、ケーシング４０内の第１液用分割室４６及び第２液用分割室４７からノズル４１内の右側分割流路及び左側分割流路に、第１液及び第２液を供給する供給口として機能する。
【００４１】
上記構成の二液吐出器１を使用する場合には、カバー部材Ｂ１の筒状部Ｂ１１の押圧部８４を押圧し、押圧板８１がヒンジ８２を中心に回動することにより、吐出部材Ｂ２が押し下げられ、さらに第１吐出用容器Ａ１及び第２吐出用容器Ａ２の第１ステム１１ａ及び第２ステム１１ｂがそれぞれ押し下げられる。
【００４２】
これにより、第１吐出用容器Ａ１内から第１ステム１１ａを介して吐出された第１液が、第１液用分割室４６から第１透孔４９１を介してノズル４１の右側分割流路に吐出される。一方、第２吐出用容器Ａ２内から第２ステム１１ｂを介して吐出された第２液が、第２液用分割室４７から第２透孔４９２を介してノズル４１の左側分割流路に吐出される。その結果、図１０に示すように、第１液からなる第１液層Ｌ１と、第２液からなる第２液層Ｌ２とを左右方向に積層させた状態（断面パターン）で合流した後、ノズル４１の先端の吐出口４１１から吐出される。
【００４３】
次に、本実施形態の二液吐出器１の組み付け手順について説明する。
まず、図１１（ａ）に示すように、カバー部材Ｂ１の下側開口部から吐出部材Ｂ２を挿入する。このとき、筒状部Ｂ１１の切欠部３５に対して吐出部材Ｂ２のノズル４１を貫通させた状態で、吐出部材Ｂ２を上方に移動させ、ノズル４１を切欠部３５内の所定の位置まで移動させる。そして、筒状部Ｂ１１の係合凹部３２１に、吐出部材Ｂ２のケーシング４０の係合突起部４０１を係合させる（図３参照）。これにより、図１１（ｂ）に示すように、カバー部材Ｂ１に吐出部材Ｂ２を取り付け、吐出具Ｂを構成する。なお、カバー部材Ｂ１における筒状部Ｂ１１の係合凹部３２１と吐出部材Ｂ２におけるケーシング４０の係合突起部４０１との係合を解除すれば、カバー部材Ｂ１から吐出部材Ｂ２を取り外すことができ、吐出部材Ｂ２の洗浄容易性を向上させることができる。
【００４４】
次いで、図１１（ｃ）に示すように、吐出具Ｂを吐出用容器Ａの上部に装着する。具体的には、吐出具Ｂの揺動片部３６の係合孔３６２に、吐出用容器Ａの容器固定部材１２の突起部１２１を係合させる（図３参照）。これにより、図１１（ｄ）に示すように、吐出用容器Ａに吐出具Ｂを取り付け、二液吐出器１を構成する。なお、吐出具Ｂの揺動片部３６の上端部に形成された揺動押圧部３６３を内方に押圧することにより、揺動片部３６の下端部を外方に揺動させ、吐出用容器Ａの容器固定部材１２の突起部１２１と吐出具Ｂの揺動片部３６の係合孔３６２との係合を解除することができる。これにより、吐出用容器Ａから吐出具Ｂを取り外すことができ、吐出部材Ｂ２の洗浄容易性を向上させることができる。
【００４５】
次に、本実施形態の作用効果について説明する。
二液吐出器（吐出具付容器）１において、吐出用容器Ａの上部に装着される吐出具Ｂは、吐出部材Ｂ２とカバー部材Ｂ１との２つの部材で構成されている。そのため、吐出具Ｂの構造を簡素化することができる。これにより、二液吐出器１全体の構造を簡素化することができ、部品点数の削減や部品の組み付け工数の削減を図ることも可能となる。
【００４６】
また、カバー部材Ｂ１は、吐出部材Ｂ２を吐出用容器Ａとの間に挟み込んだ状態で吐出用容器Ａに固定されている。すなわち、吐出部材Ｂ２は、カバー部材Ｂ１と吐出用容器Ａとの間に挟み込まれた状態となる。そのため、吐出部材Ｂ２の組み付け保持が容易となる。また、吐出部材Ｂ２をカバー部材Ｂ１内で保持するための別部材を必要としないため、構造の簡素化を図ることもできる。
【００４７】
また、カバー部材Ｂ１には、吐出部材Ｂ２を吐出用容器Ａとの間に挟み込む際にノズル４１を所定の貫通位置まで移動させるための切欠部（切欠き）３５が形成されている。そのため、吐出部材Ｂ２のノズル４１をカバー部材Ｂ１の切欠部３５に貫通させた状態で、吐出部材Ｂ２をカバー部材Ｂ１内の所定の配設位置まで移動させることができる。これにより、カバー部材Ｂ１に対する吐出部材Ｂ２の組み付けが容易となる。その結果、吐出具Ｂ、さらには二液吐出器１全体の組み立てが容易となる。
【００４８】
また、二液吐出器１（特に吐出具Ｂ）の組み立てを容易に行うことができるため、逆に二液吐出器１（特に吐出具Ｂ）の分解も容易に行うことができる。これにより、例えば、使用者が吐出部材Ｂ２の洗浄のために二液吐出器１を分解する際にその分解作業を容易に行うことができ、吐出部材２の洗浄容易性を向上させることができる。
【００４９】
また、本実施形態では、カバー部材Ｂ１には、吐出部材Ｂ２及びステム１１を上方から押し下げ、ステム１１からの吐出液をノズル４１の吐出口４１１から吐出させるための押圧操作部Ｂ１２が一体的に形成されている。そのため、吐出具Ｂの構造をより簡素化することができる。
【００５０】
また、吐出用容器Ａには、カバー部材Ｂ１の切欠部３５の一部を補うように配置された補完部１３が設けられている。そのため、例えば、使用者が吐出用容器Ａから吐出具Ｂを取り外し、吐出部材Ｂ２を洗浄した後に再び吐出具Ｂを吐出用容器Ａに取り付ける際に、吐出具Ｂの取り付け向きの間違えを防止することができる。例えば、本実施形態のように、二液吐出器では、吐出具Ｂの取り付け向きを前後逆向きにすると、吐出部材Ｂ２内において第１液（第１剤）と第２液（第２剤）とが通過する流路が逆となり、吐出部材Ｂ２内に残った第１液（第１剤）と第２液（第２剤）とが内部流路内で反応するおそれがある。したがって、このような事態を防止することができる。
【００５１】
また、カバー部材Ｂ１には、吐出部材Ｂ２に形成された係合突起部（被係合部）４０１を係合させるための係合凹部（係合部）３２１が形成されている。また、吐出部材Ｂ２は、係合突起部４０１をカバー部材Ｂ１の係合凹部３２１に係合させた状態で上下動可能に構成されている。そのため、カバー部材Ｂ１に対して吐出部材Ｂ２を容易かつ確実に固定することができる。また、吐出部材Ｂ２の取り外しも容易となるため、吐出部材Ｂ２の洗浄容易性を向上させることができる。また、押圧操作部Ｂ１２によって吐出部材Ｂ２を上方から押し下げるといった動作も容易に行うことができる。
【００５２】
また、筒状部Ｂ１１の後部には、上端から下方に凹んで形成された後側凹部３４が設けられており、後側凹部３４内には、カバー部材Ｂ１における押圧操作部Ｂ１２の押圧部８４が配置されている。そして、後側凹部３４の左右の内壁面３４１は、下方に向かって内側に傾斜している。すなわち、後側凹部３４の横幅は、下方に向かって徐々に狭くなっている。そのため、使用者が押圧部８４を押し下げる際に、使用者の指を後側凹部３４の左右の内壁面３４１によって押圧部８４の中央部に誘導することができる。これにより、使用者が押圧部８４に対して押圧力を均等に加えることができる。その結果、第１吐出用容器Ａ１及び第２吐出用容器Ａ２の第１ステム１１ａ及び第２ステム１１ｂを均等に押下することができ、第１液及び第２液をより均等に吐出させることができる。
【００５３】
また、カバー部材Ｂ１における押圧操作部Ｂ１２の押圧部８４の横幅Ｗは、１２〜２０ｍｍの範囲内に設定されている。すなわち、押圧部８４の横幅Ｗは、使用者が押圧部８４に指を掛けて押せる幅が必要となるため、１２ｍｍ以上であることが望ましい。また、使用者が押圧部８４に対して押圧力を均等に加えることができるように２０ｍｍ以下であることが望ましい。したがって、本実施形態では、使用者が押圧部８４を押圧しやすくなると共に押圧部８４に対して押圧力を均等に加えやすくなる。これにより、第１吐出用容器Ａ１及び第２吐出用容器Ａ２の第１ステム１１ａ及び第２ステム１１ｂを均等に押下することができ、第１液及び第２液をより均等量で吐出させることができる。
【００５４】
このように、本実施形態によれば、構造の簡素化を図ることができ、組み立て及び分解が容易であり、かつ吐出部材Ｂ２の組み付け保持が容易な構造である二液吐出器（吐出具付容器）１を提供することができる。
【００５５】
以上、本発明の実施形態について説明したが、本発明は、上記実施形態に限定されることなく、種々の形態を採り得ることは言うまでもない。
（１）上記実施形態では、液を収容するための吐出用容器としてエアゾール缶を用いた構成を例示したが、これに限定されるものではない。例えば、シリンダとピストンとを備えたポンプ機構を内蔵したものであってもよい。この場合にも、ステムの押し下げにより液が吐出し、押し下げを解除すると上方付勢力によりステムが上昇して液の吐出が停止する構成にすることが可能である。また、ステムの押し下げに限らず、例えばステムを傾けて液を吐出させる構成など、他の操作により液が吐出される構成としてもよい。また、ステムを備えない構成としてもよく、吐出操作の方法も特に限定されない。
【００５６】
（２）吐出用容器から吐出される剤の形態は、流動可能な形態（流体）であれば特に限定されない。例えば、泡状（フォーム状）に吐出される形態や、粘性液状（例えばクリーム状）に吐出される形態等としてもよい。こうした吐出形態は、各吐出用容器内の公知の起泡構造や収容液自体の物性などにより実現される。
【００５７】
（３）上記実施形態では、２つの液を左右方向に積層させた状態で合流させる構成を例示したが、これに限定されるものではなく、例えば２つの液を上下方向に積層させた状態で合流させてもよい。このような態様は、吐出部材のノズルに設けた仕切板を縦に配置することで対応することができる。また、積層数についても、３層以上を積層させる構成としてもよい。このような態様は、吐出部材のノズルに設けた仕切板の数を増やしたりすることによって対応することができる。
【００５８】
（４）上記実施形態では、第１液及び第２液を合流させて吐出する二液吐出器を例示したが、これに限定されるものではなく、３つ以上の吐出用容器に収容された３種類以上の液を合流させて吐出する構成としてもよい。例えば、３剤式の染毛剤を吐出するために用いることができる。また、１つの吐出用容器に収容された、混合せずにそのまま使用する毛髪処理剤組成物（例えば１剤式の酸性染毛料）を吐出する構成としてもよい。
【００５９】
（５）上記実施形態では、２つの吐出用容器を２つのエアゾール缶を用いて構成しているが、これに限定されるものではなく、例えば、１つのエアゾール缶に複数のパウチ（内袋）が収容され、各パウチに液を収容した構成としてよい。
【００６０】
（６）上記実施形態では染毛剤を例示したが、これに限定されるものではなく、例えば脱色剤や脱染剤としてもよい。
【符号の説明】
【００６１】
１…二液吐出器（吐出具付容器）
１１…ステム
３５…切欠部（切欠き）
４１…ノズル
４１１…吐出口
Ａ…吐出用容器（容器）
Ｂ…吐出具
Ｂ１…カバー部材
Ｂ２…吐出部材
【図１】
2015101348.tif 000003
【図２】
2015101348.tif 000004
【図３】
2015101348.tif 000005
【図４】
2015101348.tif 000006
【図５】
2015101348.tif 000007
【図６】
2015101348.tif 000008
【図７】
2015101348.tif 000009
【図８】
2015101348.tif 000010
【図９】
2015101348.tif 000011
【図１０】
2015101348.tif 000012
【図１１】
2015101348.tif 000013